(57)【要約】  【課題】コストを抑制しつつ、ＡＤＦ新設時もしくは交換時における、ＡＤＦを適正に制御するための制御パラメータの設定作業に係る作業負荷を軽減した画像読取装置を提供すること。  【解決手段】ＡＤＦの設置面において、スキャナユニット１１により読取り可能な範囲内であり、且つ、原稿搬送領域外に、ＡＤＦの制御情報を担持した情報ラベル４１２を形成し、所定のタイミングで当該情報ラベル４１２をスキャナユニット１１で読取り、得られた制御情報に基づいてＡＤＦの制御を行う。【選択図】図３
2010193171.tif 000002
【特許請求の範囲】
【請求項１】
原稿画像を読み取って画像データを生成する画像読取ユニットと、前記画像読取ユニットにおける原稿画像の読取り位置へ原稿を搬送する原稿搬送ユニットとからなる画像読取装置であって、
前記原稿搬送ユニットは、前記画像読取ユニットに対して着脱可能に構成されると共に、原稿搬送ユニットの前記画像読取ユニットによる読取り可能な位置に、当該原稿搬送ユニットの動作を制御するための制御情報を担持する情報担持パターンが形成されており、
前記画像読取ユニットは、
前記情報担持パターンを所定のタイミングで読み取って、前記制御情報を取得する制御情報取得手段と、
前記取得された制御情報を記憶する制御情報記憶手段と、  
前記記憶された制御情報に基づいて前記原稿搬送ユニットの動作を制御する制御手段と
を備えたことを特徴とする画像読取装置。
【請求項２】
前記所定のタイミングは、装置に電源が投入されたときであることを特徴とする請求項１に記載の画像読取装置。
【請求項３】
前記原稿搬送ユニットが交換もしくは新たに設置された旨の情報を取得する交換情報取得手段を備え、
前記所定のタイミングは、前記交換情報取得手段により原稿搬送ユニットが交換もしくは新たに設置された旨の情報が取得されたときであることを特徴とする請求項１に記載の画像読取装置。
【請求項４】
前記制御情報記憶手段は、前記取得された制御情報が、前回取得されて記憶されている制御情報と異なる場合に更新して記憶する
ことを特徴とする請求項１から３のいずれかに記載の画像読取装置。
【請求項５】
前記制御情報は、前記原稿搬送ユニットの動作を制御するための制御パラメータであることを特徴とする請求項１から４のいずれかに記載の画像読取装置。
【請求項６】
前記制御情報は、前記原稿搬送ユニットの型式情報であり、
前記制御手段は、
原稿搬送ユニットの型式毎に対応する制御パラメータを記憶するパラメータ記憶手段を備え、
取得した型式情報に対応する制御パラメータを前記パラメータ記憶手段から読み出して、当該読み出された制御パラメータに基づいて前記原稿搬送ユニットの動作を制御することを特徴とする請求項１から４のいずれかに記載の画像読取装置。
【請求項７】
前記情報担持パターンは、バーコードであることを特徴とする請求項１から６のいずれかに記載の画像読取装置。
【発明の詳細な説明】
【技術分野】
【０００１】
本発明は、画像読取装置、特に自動原稿搬送装置が交換可能な構成となっている画像読取装置に関する。
【背景技術】
【０００２】
近年、画像読取装置として、自動原稿搬送装置（ＡＤＦ：Ａｕｔｏ  Ｄｏｃｕｍｅｎｔ  Ｆｅｅｄｅｒ）を備え、これにより原稿を読取り位置に搬送しながら、ＣＣＤ（Ｃｈａｒｇｅ  Ｃｏｕｐｌｅｄ  Ｄｅｖｉｃｅ）ラインセンサで読取って画像データを取得する、いわゆるシートスルー方式の画像読取装置が普及している。
上記ＡＤＦは、画像読取装置本体に脱着可能なオプション装置として提供されている場合が多く、また、ＡＤＦが故障した場合に交換可能な構成となっている。このような場合、ＡＤＦ側には制御部を搭載せずに、画像読取装置本体側に搭載し、新しいＡＤＦを装着する際にサービスマンなどが、当該ＡＤＦの制御パラメータを含む制御情報を当該本体側の制御部に設定する必要があり、装着・交換作業に大変煩雑であり手間を要していた。
【０００３】
そこで、たとえば、特許文献１では、ＡＤＦ内にメモリを設け、このメモリ内に製造時などにおいて制御情報を記憶させておき、ＡＤＦの画像読取装置への装着後に、前記制御部が当該メモリ内の情報を読み出して、これによりＡＤＦの制御情報を自動的に取得できるように構成している。
【先行技術文献】
【特許文献】
【０００４】
【特許文献１】特開２００７−１７４５９６号公報
【発明の概要】
【発明が解決しようとする課題】
【０００５】
しかしながら、特許文献１の構成を採ったとしても、制御情報を記憶するためＲＯＭ（Ｒｅａｄ  Ｏｎｌｙ  Ｍｅｍｏｒｙ）等の不揮発性のメモリをＡＤＦ内に設ける必要があり、コスト面で不利となる。そこで、より安価な方法でＡＤＦの制御情報を画像読取装置本体で自動的に取得できるようにする構成が求められている。
本発明は、上記事情に鑑みてなされたものであって、コストを抑えつつ、かつ、ＡＤＦの装着時における制御情報の煩雑な設定作業が不要な、画像読取装置を提供することを目的とする。
【課題を解決するための手段】
【０００６】
上記の課題を解決するため、本発明に係る画像読取装置は、原稿画像を読み取って画像データを生成する画像読取ユニットと、前記画像読取ユニットにおける原稿画像の読取り位置へ原稿を搬送する原稿搬送ユニットとからなる画像読取装置であって、前記原稿搬送ユニットは、前記画像読取ユニットに対して着脱可能に構成されると共に、原稿搬送ユニットの前記画像読取ユニットによる読取り可能な位置に、当該原稿搬送ユニットの動作を制御するための制御情報を担持する情報担持パターンが形成されており、前記画像読取ユニットは、前記情報担持パターンを所定のタイミングで読み取って、前記制御情報を取得する制御情報取得手段と、前記取得された制御情報を記憶する制御情報記憶手段と、前記記憶された制御情報に基づいて前記原稿搬送ユニットの動作を制御する制御手段とを備えたことを特徴とする。
【０００７】
ここで、「情報担持パターン」とは、バーコード等の画像パターンのみならず、文字や記号、数字なども含む。
【発明の効果】
【０００８】
上記構成により、原稿搬送ユニットに制御情報を記憶したメモリなどを搭載する必要がなく、当該原稿搬送ユニットに形成された情報担持パターンを画像読取ユニットで読み取るだけで、その制御情報を取得して制御できるので、コストを抑えつつ、原稿搬送ユニットの装着・交換作業時の負荷を軽減することできる。
ここで、前記所定のタイミングは、装置に電源が投入されたときであることを特徴とするとしてもよい。
【０００９】
これにより、電源が投入される度に原稿搬送ユニットの制御情報を取得するので、電源のＯＦＦ時に原稿搬送ユニットが交換されたとしても、必ず、その制御情報を取得して的確に制御することが出来る。
また、前記原稿搬送ユニットが交換もしくは新たに設置された旨の情報を取得する交換情報取得手段を備え、前記所定のタイミングは、前記交換情報取得手段により原稿搬送ユニットが交換もしくは新たに設置された旨の情報が取得されたときであることを特徴とするとしてもよい。
【００１０】
これにより、原稿搬送ユニットが交換もしくは新たに設置された時に、当該原稿搬送ユニットの制御情報を確実に取得することが出来る。
さらに、前記制御情報記憶手段は、前記取得された制御情報が、前回取得されて記憶されている制御情報と異なる場合に更新して記憶することを特徴とするとしてもよい。
また、ここで、前記制御情報は、前記原稿搬送ユニットの動作を制御するための制御パラメータであることを特徴とするとしてもよい。
【００１１】
ここでさらに、前記制御情報は、前記原稿搬送ユニットの型式情報であり、前記制御手段は、原稿搬送ユニットの型式毎に対応する制御パラメータを記憶するパラメータ記憶手段を備え、取得した型式情報に対応する制御パラメータを前記パラメータ記憶手段から読み出して、当該読み出された制御パラメータに基づいて前記原稿搬送ユニットの動作を制御することを特徴とするとしてもよい。
【００１２】
また、さらに、前記情報担持パターンは、バーコードであることを特徴とするとしてもよい。
【図面の簡単な説明】
【００１３】
【図１】本発明の実施の形態に係る画像読取装置を備えた複写機の全体構成を示す概略図である。
【図２】複写機の制御部の概略構成を表すブロック図である。
【図３】ＡＤＦ制御情報を保持する情報画像がプリントされた情報ラベルの貼付位置および当該情報ラベルの態様を示す図である。
【図４】本発明の実施の形態１における、ＡＤＦ制御情報更新処理の内容を示すフローチャートである。
【図５】ＡＤＦ原稿読取ジョブ実行処理の内容を示すフローチャートである。
【図６】本発明の実施の形態２における、ＡＤＦ制御情報更新処理の内容を示すフローチャートである。
【発明を実施するための形態】
【００１４】
以下、本発明に係る画像読取装置の実施の形態を、デジタル式カラー複写機（以下、単に「複写機」と言う。）のイメージリーダ部に適用した場合を例にして説明する。
＜実施の形態１＞
【００１５】
（１．複写機の全体構成）
図１は、当該複写機１の概略構成を示す断面図である。
同図に示すように複写機１は、大きく分けて、原稿画像を読み取るイメージリーダ（ＩＲ：Ｉｍａｇｅ  Ｒｅａｄｅｒ）部１０と、読み取った画像を記録シート上にプリントして再現するプリンタ部２０を備え、その下部には当該プリンタ部２０に記録シートを供給する給紙部３０が、ＩＲ部１０の上部には、当該ＩＲ部１０に原稿を自動的に搬送するＡＤＦ４０が設置された構成となっている。
【００１６】
ＩＲ部１０は、固定光学系の一つであるシートスルー方式と移動光学系の一つであるスキャナ移動方式の両方で原稿画像の読取が可能なように構成されている。ここで、シートスルー方式は、原稿を照射するランプ１１１と原稿面からの反射光をＣＣＤラインセンサ（固体撮像素子）１７に導くミラー１１２とが一体となったスキャナユニット１１を、シートスルー用プラテンガラス１２下方の破線で示すシートスルー読取り位置１８に静止（固定）させた状態で、原稿を移動させて読み取る方式である。スキャナ移動方式は、原稿は静止させた状態で、スキャナユニット１１を原稿に対して移動させ、原稿読取り位置からＣＣＤラインセンサまでの光路長を常に一定に維持した状態で読取る方式である。
【００１７】
ＡＤＦ４０は、シートスルー方式を実現するために、ＩＲ部１０上部に設置されている。
ＡＤＦ４０は、原稿給紙トレイ４０１にセットされた原稿束から原稿を１枚ずつ分離してシートスルー用プラテンガラス１２の上面を通過させた後、原稿排紙トレイ４０２に排出するものである。
【００１８】
原稿給紙トレイ４０１には、例えば反射式の光電センサ等から成る原稿センサ４０８が設置されており、当該原稿センサ４０８が原稿給紙トレイ４０１上に原稿が載置されているかどうかを検出する。
原稿給紙トレイ４０１にセットされた原稿束における最上位の原稿は、ピックアップローラ４０３と捌きローラ４０４とによって原稿束から分離され、レジストローラ４０５まで搬送される。捌きローラ４０４とレジストローラ４０５との間には用紙後端検出センサ４０９が設置されており、原稿が当該設置箇所を搬送され通過する際に、原稿の後端が通過したことが当該用紙後端検出センサ４０９により検出される。また、レジストローラ４０５のすぐ下流側には用紙先端検出センサ４１０が設置されており、原稿が当該設置箇所を搬送され通過する際に、原稿の先端が通過したことが当該用紙先端検出センサ４１０により検出される。
【００１９】
レジストローラ４０５まで搬送された原稿は、ここで傾き（スキュー）が補正された後、当該レジストローラ４０５によってシートスルー用プラテンガラス１２へと搬送される。ＡＤＦ４０のシートスルー用プラテンガラス１２と相対する箇所には原稿押さえ部材４１１が配設されており、通過する原稿の裏面に当接して、原稿読取位置における原稿面とシートスルー用プラテンガラス１２との距離を一定に保ち、原稿の読取りが適切に行われるようにしている。
【００２０】
シートスルー用プラテンガラス１２を通過した原稿は、さらに、読取後ローラ４０６によって排出ローラ４０７へと搬送され、当該排出ローラ４０７によって、原稿排紙トレイ４０２へと排出される。
複数枚の原稿を連続して読取る場合には、搬送されながら読み取られている原稿の後端の通過が用紙後端検出センサ４０９により検出されると、ピックアップローラ４０３および捌きローラ４０４によって次の原稿が原稿束から分離され搬送が開始される。この時、複数枚の原稿を連続して読取るかどうかの判断は、原稿読取り時に原稿センサ４０８が原稿給紙トレイ４０１上に載置されている原稿を検出したかどうかにより行われる。即ち、原稿読取り時に原稿給紙トレイ４０１上に原稿が載置されている場合には、読取る原稿が複数枚存在すると判断され、原稿給紙トレイ４０１上に載置されている原稿が検出されなくなるまで連続して原稿の読み取りを行う。
【００２１】
なお、上記した各ローラは、原稿搬送モータＭ１を動力源とし、歯車ギヤやベルトなどの動力伝達機構（図示せず）を介して回転駆動され、当該回転駆動の各ローラへの伝達と遮断は、電磁クラッチ（図示せず）をＯＮ／ＯＦＦすることにより実行される。
この原稿搬送モータＭ１の種類は特に限定されないが、本実施例では、高精度の回転速度制御が可能なステッピングモータを使用している。
【００２２】
シートスルー方式で原稿を読み取る場合には、スキャナユニット１１はシートスルー読取り位置１８に移動される。シートスルー用プラテンガラス１２上面を通過する原稿は、当該シートスルー読取り位置１８で静止しているスキャナユニット１１のランプ１１１によって照射され、原稿面からの反射光は、ミラー１１２、１４、および１５により光路変更され、結像レンズ１６によってＣＣＤラインセンサ１７の受光面で結像される。
【００２３】
一方、原稿を手置き用プラテンガラス１３に載置して読み取る場合には、ＡＤＦ４０を上方に開放して、原稿を手置き用プラテンガラス１３上にセットする。この場合には、スキャナユニット１１は、図１の矢印Ａの方向に移動される。この際、ミラー１４および１５が対となって上記スキャナユニット１１と同方向に、その移動速度の半分の速度で移動するようになっており、これにより原稿面から結像レンズ１６までの距離（光路長）が常に一定に保たれて、原稿の反射光は、ＣＣＤラインセンサ１７の受光面で結像される。なお、上記スキャナユニット１１およびミラー１４、１５は、スキャンモータＭ２を動力源とし、ベルトやワイヤ等から成る図示しない動力伝達機構を介して走行駆動される。
【００２４】
また、ＩＲ部１０には、基準白出力を得るための基準白板（シェーディング板）１９がシートスルー用プラテンガラス１２と手置き用プラテンガラス１３との間に配置されている。原稿の読取りに際しては、スキャナユニット１１を基準白板１９が配置されている位置に移動させて当該基準白板１９の画像データを読み取り、ＣＣＤラインセンサ１７の撮像素子間の感度のばらつきや、ランプ１１１の照射光量のばらつきを補正する処理を行う。
【００２５】
制御部５は、上記ＩＲ部１０およびＡＤＦ４０の動作を制御すると共に、ＣＣＤラインセンサ１７で読み取った画像データに所定のデータ処理を施して、画像メモリ５３（図２参照）に格納し、さらに当該格納されたＲ，Ｇ，Ｂの画像データに基づいてプリンタ部２０において記録シート上に画像を形成させる。
プリンタ部２０は、上記原稿を読み取って得られた画像データにより変調駆動されたレーザダイオード（不図示）により感光体ドラムを露光走査して静電潜像を形成し、この静電潜像をトナーで現像した後、当該トナー像を用紙上に転写して画像を形成する公知の電子写真式のプリンタであり、シアン（Ｃ）、マゼンタ（Ｍ）、イエロー（Ｙ）、ブラック（Ｋ）のトナー像を転写紙上に多重転写することによりフルカラー画像を形成する。
【００２６】
なお、プリンタ部２０は、上記のような電子写真方式に限定されず、他の方式、たとえばインクジェット方式のカラープリンタなどであっても構わない。
複写機１は、その上面の操作しやすい位置に操作パネル６（図２参照）を備えている。操作パネル６には、コピー枚数を設定するためのテンキー、コピーを開始させるためのスタートキーなどのキー群の他、原稿の読取モード、読取倍率（拡大縮小率）などの入力を受付けるための設定画面やボタン、および、用紙切れや紙詰まりなどのメッセージを表示させるための液晶表示部が配されている。
【００２７】
図２は、複写機１の制御部５の構成を示すブロック図である。
同図に示すように、制御部５は、主な構成要素としてＣＰＵ（Ｃｅｎｔｒａｌ  Ｐｒｏｃｅｓｓｉｎｇ  Ｕｎｉｔ）５１、画像処理部５２、画像メモリ５３、ＬＤ駆動部５４、これらの各部の制御に必要なプログラムなどが格納されたＲＯＭ（Ｒｅａｄ  Ｏｎｌｙ  Ｍｅｍｏｒｙ）５５、プログラム実行時のワークエリアとなるＲＡＭ（Ｒａｎｄｏｍ  Ａｃｃｅｓｓ  Ｍｅｍｏｒｙ）５６、ＡＤＦ制御情報記憶部５７、通信インターフェース（Ｉ／Ｆ）部５８などを有する。
【００２８】
画像処理部５２は、ＣＣＤラインセンサ１７からの読取データを所定のタイミングでサンプリングして、適正レベルに増幅した後、Ｒ，Ｇ，Ｂのデジタルデータに変換し、各ＣＣＤラインセンサの感度ばらつきや光学系の特性による光量ばらつき等を補正するシェーディング補正処理を施す。このシェーディング補正されたＲ，Ｇ，Ｂのデジタルデータは、それぞれ１ライン（主走査ライン）単位で、同一画素のＲ，Ｇ，Ｂの画像データが対応して出力されるように原稿の搬送速度に応じた所定時間だけ遅延して出力される。
【００２９】
その後、上記Ｒ，Ｇ，Ｂの画像データに対して、公知の黒生成（ＢＰ）、下色除去（ＵＣＲ）等の色補正処理を施し、シアン，マゼンタ，イエロー，ブラックの各再現色の濃度データを生成し、画像メモリ５３に出力する。
画像メモリ５３は、再現色ごとに用意されたフレームメモリに上記各色の濃度データを格納し、ＣＰＵ５１からアドレスを指示されて読出し要求を受けると、当該アドレスに格納されている各再現色のデータをＬＤ駆動部５４に送り、ＬＤ駆動部５４は、このデータに基づきプリンタ部２０におけるレーザダイオード（不図示）を変調駆動させ、感光体ドラム上への露光走査が実行される。
【００３０】
ＣＰＵ５１は、ＲＯＭ５５の制御プログラムに基づいて、ＩＲ部１０、プリンタ部２０などの各部の動作を制御し、円滑なコピー動作を実現する。また、ＣＰＵ５１は、操作パネル６を介して操作者によるキー入力等を受付けると共に、必要なメッセージ等を操作パネル６の液晶表示部に表示させる。
ＡＤＦ制御情報記憶部５７は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ  ）等の不揮発性メモリから成り、ＡＤＦ４０を円滑に作動させるための制御パラメータを記憶する。
【００３１】
通信Ｉ／Ｆ部５８は、ＬＡＮカード、ＬＡＮボードといったＬＡＮ（Ｌｏｃａｌ  Ａｒｅａ  Ｎｅｔｗｏｒｋ）に接続するためのインターフェースであり、外部からのプリントジョブのデータを受信する。
なお、スキャンモータＭ２の種類は特に限定されないが、本実施の形態では、高精度の回転速度の制御が可能なステッピングモータを使用している。
（２．ＡＤＦ制御情報更新処理）
図３は、情報ラベル４１２の貼付位置および当該情報ラベル４１２の態様を示す図である。図３（ａ）は、ＡＤＦ４０の断面図であり、同図（ｂ）はＡＤＦ４０の底面（ＡＤＦ４０のＩＲ部１０への設置面）である。
【００３２】
同図において、Ａで示される領域は、シートスルー方式による画像読取可能領域（シートスルー用プラテンガラス１２に相対する領域）であり、Ｂで示される領域は、基準白板１９に相対する領域であり、Ｃで示される領域は、スキャナ移動方式による画像読取可能領域（手置き用プラテンガラス１３に相対する領域）であり、Ｄで示される領域は、原稿搬送領域である。
【００３３】
情報ラベル４１２は、紙やプラスティック、金属等からなるシート部材の表面（スキャナユニット１１により読取り可能な面）に、ＡＤＦ制御情報を担持するバーコードがプリントされてなり、同図に示されるように、ＡＤＦ４０の設置面において、シートスルー方式によりＩＲ部１０のスキャナユニット１１が読取り可能な範囲内であって、且つ、原稿搬送領域外に貼付されている。
【００３４】
同図における円内に、情報ラベル４１２の拡大図を示す。本実施の形態では、情報ラベル４１２にプリントされているバーコードは主走査方向（Ｙ方向）に読取られるように形成しているが、これを９０度傾けて、光学走査装置１１を副走査方向（Ｘ方向）に移動させながら読取るようにしても構わない。
スキャナユニット１１により読取られた情報ラベル４１２の画像データをＡＤＦ制御情報に変換するプログラムは、ＲＯＭ５５に予め記憶されており、必要に応じて当該ＲＯＭ５５より読出され、ＣＰＵ５１により実行される。なお、前記情報ラベル４１２の態様としては、同図に示すようなバーコードの他に、２次元バーコードを用いてもよく、また、文字や記号、数字を認識してＡＤＦの制御情報を取得するようにしてもよい。文字や記号の場合には、読み取った画像データに対し、文字認識処理を行って制御情報を取得することができる。
【００３５】
また、情報ラベル４１２の貼付位置は、スキャナユニット１１により読取り可能な範囲内であって、且つ、円滑な原稿搬送および良好なスキャニングの妨げとならない位置であれば、上記の貼付位置に限られない。例えば、原稿搬送領域外の原稿押さえ部材４１１上でもよく、スキャナ移動方式による読取り可能な範囲内で、且つ、原稿搬送領域外の位置でもよい。
【００３６】
図４は、ＡＤＦ制御情報更新処理の内容を示すフローチャートである。
複写機１の電源がＯＮになると、スキャナユニット１１により情報ラベル４１２が読取られ、その画像データをＡＤＦ制御情報に変換する（ステップＳ１：ＹＥＳ、ステップＳ２、ステップＳ３）。変換して得られた制御情報と、ＡＤＦ制御情報記憶部５７に記憶されている制御情報とを比較して、双方が同じであれば（ステップＳ４：ＹＥＳ）、新たなＡＤＦが設置されてはいないと判断されるので、当該更新処理を終了する。双方が同じではない場合、新たなＡＤＦが設置されたと判断されるので、ＡＤＦ制御情報記憶部５７に記憶されている制御情報を、情報ラベル４１２を読取って得られた制御情報で更新して記憶し（ステップＳ４：ＮＯ、ステップＳ５）、更新処理を終了する。
【００３７】
本実施の形態では、情報ラベル４１２から取得する制御情報として、原稿の読取開始と読取終了を判断するための時間ｔ１、ｔ２が設定されている。詳しくは後述する。
なお、ＡＤＦが設置されていないＩＲ部１０に、新たにＡＤＦが設置された場合は、ＡＤＦ制御情報記憶部５７に記憶されている制御情報は無いが、この場合もステップＳ４において、情報ラベル４１２を読取って得られた制御情報は、ＡＤＦ制御情報記憶部５７に記憶されている制御情報とは同じではないとして、読取って得られた制御情報を記憶する（ステップＳ４：ＮＯ、ステップＳ５）。
【００３８】
図５は、ＡＤＦ４０の原稿自動搬送機能を使用して原稿を読取るジョブの実行（ＡＤＦ原稿読取ジョブ実行処理）の内容を示すフローチャートである。なお、複写機１全体を制御する不図示のメインルーチンが別途有り、当該メインルーチンにおいて当該ＡＤＦ原稿読取ジョブ実行処理のサブルーチンがコールされる毎に実行される。
先ず、ユーザーからの原稿読取開始指示を受け付けたかどうかを判定する（ステップＳ１１）。なお、当該原稿読取開始指示の有無は、たとえば、操作パネル６から、原稿を複写するコピーモードもしくは原稿の画像データを取得して指定された端末に送信するスキャンモードなどが設定されているときに、ユーザーが当該操作パネル６のスタートボタンが押下されたか否かで判断することができる。
【００３９】
原稿読取指示を受け付けたときは（ステップＳ１１：ＹＥＳ）、次に、原稿給紙トレイ４０１上に原稿が載置されているかどうかを判定する（ステップＳ１２）。この判定は、原稿センサ４０８が原稿給紙トレイ４０１上の原稿を検出しているか否かにより判定できる。原稿給紙トレイ４０１上に原稿が載置されていない場合は（ステップＳ１２：ＮＯ）、そのままメインルーチンにリターンするが、原稿給紙トレイ４０１上に原稿が載置されている場合には（ステップＳ１２：ＹＥＳ）、その一番上の原稿を繰り出して原稿搬送を開始する（ステップＳ１３）。
【００４０】
そして、用紙先端検出センサ４１０が原稿の先端を検出してから時間ｔ1を経過したかどうかを判定する。ここで時間ｔ1は、図４のＡＤＦ制御情報更新処理において更新されてＡＤＦ制御情報記憶部５７に記憶された制御情報であって、用紙先端検出センサ４１０が原稿の先端を検出してから、当該原稿がシートスルー方式による原稿読取位置に到達するまでの時間である。
【００４１】
用紙先端検出センサ４１０が原稿の先端を検出してから時間ｔ1経過すると、当該原稿はシートスルー方式による原稿読取位置に到達しているので、ＣＣＤラインセンサ１７により読取を開始する（ステップＳ１４：ＹＥＳ、ステップＳ１５）。
そして、当該原稿の後端が用紙後端検出センサ４０９により検出された後、時間ｔ２が経過すれば、原稿の後端が原稿読取位置を通過したとみなして、ＣＣＤラインセンサ１７による１頁分の読取りを終了する（ステップＳ１６：ＹＥＳ、ステップＳ１７）。
【００４２】
そして、ステップＳ１２に戻り、原稿給紙トレイ４０１上に次の原稿が有るかどうかを判断し、原稿給紙トレイ４０１上に次の原稿があると判断されれば（ステップＳ１２：ＹＥＳ）、上記ステップＳ１３〜Ｓ１７までの動作を繰り返して次頁以降の原稿読取処理を実行し、原稿給紙トレイ４０１上に次の原稿がなくなったときに、原稿読取ジョブが終了したと判断して（ステップＳ１２：ＮＯ、ステップＳ１８）、メインルーチンにリターンする。
【００４３】
なお、上記フローチャートは、原稿読取ジョブの実行時のＡＤＦ４０の制御の一例であって、これに限られないのは言うまでもない。たとえば、上記フローチャートでは、先の原稿読取が終了してから、次の原稿の搬送を開始させるようにしたが、先の原稿の読取り中であっても、その後端が用紙後端検出センサ４０９で検出されたらすぐに次の原稿の有無を判断して、搬送を開始するようにしてもかまわない。
＜実施の形態２＞
上記実施の形態１においては、ＡＤＦが新たに設置されかどうか、あるいは交換されたかどうかを、複写機１の電源が投入された時に、情報ラベル４１２をスキャナユニット１１により読取って判定していた。しかし、近年、ＵＳＢ等のホットプラグに対応した仕様のＡＤＦが広く用いられるようになってきており、システムの電源をＯＮにしたままで、ＡＤＦの設置や交換が行えるようになってきている。このような場合、ＡＤＦが新たに設置もしくは交換されても電源がＯＦＦからＯＮに切り替わらないため、実施の形態１の構成では情報ラベル４１２の読み取りが行われず、次に電源がＯＦＦからＯＮに切り替わるまでは、ＡＤＦ制御情報が更新されないままとなってしまう。
【００４４】
そこで、実施の形態２では、複写機１にリセットボタンが設けられており、ＡＤＦを新たに設置、もしくは交換した際に、ユーザーもしくはサービスマンがリセットボタンを押すことにより、新たにＡＤＦが設置されたこと、もしくは、ＡＤＦが交換されたことを検知する構成を例に説明を行う。なお、説明の重複を避けるため、実施の形態１と同じ内容のものについてはその説明を省略し、同じ構成要素については、同符号を付すものとする。
【００４５】
図６は、本実施の形態２における、ＡＤＦ制御情報更新処理の内容を示すフローチャートである。ここでは、オフィス等において、複数のユーザーが１台の複写機を共有して使用する状況において、複写機の電源をＯＮにしたままＡＤＦを交換、もしくは新たに設置した場合を想定して説明する。このフローチャートは、複写機１全体を制御するメインルーチンにおいて当該ＡＤＦ制御情報更新処理のサブルーチンがコールされる毎に実行される。
【００４６】
先ず、リセットボタンがＯＮになっている（リセットボタンが押された）かどうかの判定が行われ、リセットボタンがＯＮになっていない場合は（ステップＳ２１：ＮＯ）、そのままメインルーチンにリターンする。リセットボタンがＯＮになっている場合、次に、他のジョブ（ＡＤＦを使用しないジョブ。たとえばプリントジョブ）が実行中であるかどうかの判定が行われる（ステップＳ２１：ＹＥＳ、ステップＳ２２）。実行中でない場合、スキャナユニット１１により情報ラベル４１２を読取る（ステップＳ２２：ＮＯ、ステップＳ２６）。他のジョブが実行中である場合は、続いてジョブが終了したかどうかの判定が行われる（ステップＳ２２：ＹＥＳ、ステップＳ２３）。ジョブが終了していない場合は、引き続きジョブが終了したかどうかの判定を繰り返す（ステップＳ２３：ＮＯ、ステップＳ２３）。ジョブが終了している場合は、次に待機中のジョブがあるかどうかの判定が行われる（ステップＳ２３：ＹＥＳ、ステップＳ２４）。待機中のジョブがある場合は、当該待機中ジョブの実行を一時停止し、スキャナユニット１１により情報ラベル４１２を読取る（ステップＳ２４：ＹＥＳ、ステップＳ２５、ステップＳ２６）。待機中のジョブが無い場合は、続いてスキャナユニット１１により情報ラベル４１２を読取る（ステップＳ２４：ＮＯ、ステップＳ２６）。
【００４７】
次に、情報ラベル４１２を読取って得られた制御情報と、ＡＤＦ制御情報記憶部５７に記憶されている制御情報とを比較し、双方が同じであれば（ステップＳ２７：ＹＥＳ）、メインルーチンにリターンする。双方が同じではない場合、ＡＤＦ制御情報記憶部５７に記憶されている制御情報を、情報ラベル４１２を読取って得られた制御情報に更新して記憶する（ステップＳ２７：ＮＯ、ステップＳ２８）。
【００４８】
そして、リセットボタンを解除し、次に、待機中のジョブがあるかどうかの判定を行う（ステップＳ２９、ステップＳ３０）。待機中のジョブがある場合は、ステップＳ２５において一時停止になっているので、一時停止を解除してジョブを実行させ、メインルーチンにリターンする（ステップＳ３０：ＹＥＳ、ステップＳ３１）。待機中のジョブが無い場合は（ステップＳ３０：ＮＯ）、そのままメインルーチンにリターンする。
【００４９】
複写機が１のユーザによってのみ使用されていて、ＡＤＦの新設および交換時にジョブが実行中であったり、新たなジョブが発行されることがない場合には、ステップＳ２１でリセットボタンがＯＮになっている場合には、次にステップＳ２６の情報ラベル読取りステップに移行し、その間のステップＳ２２からステップＳ２５までを省略することが出来、さらに、ステップＳ２８において制御情報を更新して、ステップＳ２９においてリセットボタンを解除した後は、すぐにメインルーチンにリターンし、ステップＳ３０およびステップＳ３１を省略することが出来る。
【００５０】
なお、新たなＡＤＦ４０の設置、および、ＡＤＦ４０の交換を検知する手段としては、上述のリセットボタンに限られず、以下のような構成としてもよい。
即ち、ＩＲ部１０上面において、ＡＤＦ４０の取付け部（ヒンジ部）付近に、ＩＲ部１０上面からバネ等により上方に突出する方向に付勢されたレバーを有するスイッチを設けておき、原稿押さえ板やＡＤＦ４０が取り外されて、レバーが突出してスイッチがＯＦＦになった後、新しいＡＤＦが設置されて再びレバーが押し戻されてスイッチがＯＮになったときに、新しいＡＤＦが設置されたと判断するようにしてもよい。
【００５１】
あるいは、ＡＤＦのホットプラグの接続状況を認識する認識手段を設け、当該認識手段がホットプラグ接続がＯＦＦの状態からＯＮの状態に変化したことを認識した場合に、新しいＡＤＦが設置されたことを検知するようにしてもよい。
また、上記フローチャートにおいて、プリントジョブなどの他のジョブが実行中でも画像の読取が並行して可能な装置にあっては、情報ラベル４１２の読取を行うことが出来るため、上記ステップＳ２２〜Ｓ２５はなくてもかまわない。
＜変形例＞
以上、本発明を実施の形態に基づいて説明してきたが、本発明が上述の実施の形態に限定されないのは勿論であり、以下のような変形例を実施することが出来る。
（１）上記各実施の形態において、情報ラベル４１２は、紙やプラスティック、金属等からなるシート部材の表面に、制御情報を担持する情報担持パターンがプリントされたものをＡＤＦ４０の底面の所定位置に貼付するようにしたが、ＡＤＦ４０の底面に、前記情報担持パターンを直接プリントあるいは刻印する構成としてもかまわないし、当該パターンが形成された他の部材をＡＤＦ４０の底面に埋め込むような構成でもよい。
（２）上記各実施の形態においては、情報ラベル４１２が担持する制御情報の例として、時間ｔ１、ｔ２を示した。これらの制御パラメータは、個々の製品のバラツキや電磁クラッチの応答遅れの部品誤差などを考慮して組立時などにおいて微調整した値を設定することが可能であり、より精度の高いＡＤＦ制御が可能である。
【００５２】
しかし、それほど詳細な調整を必要としない場合には、個々のＡＤＦに固有の制御パラメータについては誤差の範囲として、同一の型式のＡＤＦには共通の制御パラメータを適用するとして、情報ラベルには型式情報のみを担持させるようにし、制御部５内の、例えばＲＯＭ５５等の記憶部に、複数の型式の情報とこれに対応付けた制御情報を予め記憶しておき、情報ラベル４１２に担持されている型式情報をスキャナユニット１１により読取り、当該読取った型式に対応する制御情報を前記記憶部より読み出して、制御情報の更新を行うとしてもよい。
【００５３】
このような構成を採ることにより、情報ラベル４１２に担持させる情報量を減らして、情報ラベルのサイズの小型化を図ることができる。
さらには、制御情報のうち、電磁クラッチの応答遅れ等の個々のＡＤＦに固有の調整値については、情報ラベル４１２に担持させて、上記各実施の形態と同様に更新処理を行い、搬送路の寸法情報等の同一の型式のＡＤＦに共通している調整値については、上記のように型式情報で対応し、スキャナユニット１１により読取られた型式情報に対応する制御情報を前記ＲＯＭ５５等の記憶部より読み出して、制御情報の更新を行うとしてもよい。この場合においても、情報ラベルの小型化はある程度図ることはできると考えられる。
【００５４】
ところが、型式によって制御情報の更新を行う場合、既存の型式の制御情報については、予め記憶部に記憶しておくことが出来るが、新製品については予め記憶させておくことは難しい。従って、新製品の場合は、情報ラベルより読取った型式情報に対応する制御情報がＲＯＭ５５等の記憶部に記憶されていないと判定すると、通信Ｉ／Ｆ部５８を介してＬＡＮやインターネット等のネットワークに接続されたサーバーより該当する型式の制御情報をダウンロードするとしてもよい。
（３）上記実施の形態１において、情報ラベル４１２を読取って得た制御情報と、ＡＤＦ制御情報記憶部５７に記憶されている制御情報とを比較し、双方が同じでない場合には、記憶されている制御情報を情報ラベル４１２より得られた制御情報に更新するとしたが、これに限られず、電源がＯＮになると毎回情報ラベル４１２をスキャナユニット１１により読取り、得られた調整値をＲＡＭ５６等に記憶させる構成としてもよい。この場合、ＡＤＦ制御情報記憶部５７を省略することが可能である。
【００５５】
また、上記実施の形態および上記変形例の内容を夫々組み合わせるとしてもよい。
【産業上の利用可能性】
【００５６】
本発明の画像読取装置は、ＡＤＦを新たに設置した場合や交換した場合の調整値の更新における、ユーザーやサービスマンの作業負荷の軽減とコストダウンとを実現する技術として有用である。
【符号の説明】
【００５７】
１                  複写機
１０                ＩＲ部
１１                スキャナユニット
１１１              ランプ
１１２、１４、１５  ミラー
１２                シートスルー用プラテンガラス
１３                手置き用プラテンガラス
１６                結像レンズ
１７                ＣＣＤラインセンサ
１８                シートスルー読取り位置
１９                基準白板
２０                プリンタ部
３０                給紙部
４０                ＡＤＦ
４０１              原稿給紙トレイ
４０２              原稿排紙トレイ
４０３              ピックアップローラ
４０４              捌きローラ
４０５              レジストローラ
４０６              読取後ローラ
４０７              排出ローラ
４０８              原稿センサ
４０９              用紙後端検出センサ
４１０              用紙先端検出センサ
４１１              原稿押さえ部材
４１２              情報ラベル
５                  制御部
【図１】
2010193171.tif 000003
【図２】
2010193171.tif 000004
【図３】
2010193171.tif 000005
【図４】
2010193171.tif 000006
【図５】
2010193171.tif 000007
【図６】
2010193171.tif 000008